(57)【特許請求の範囲】
【請求項１】
タイヤコードプライの端部セグメントをタイヤ製造用環状表面の上で切断するコード切断装置であって、
前記タイヤコードプライの前記端部セグメントを該セグメントの前端部と後端部との間で張る張り手段と、
前記タイヤ製造用環状表面に対して離れた位置と接近した位置との間で移動可能であり、前記接近した位置において、前記端部セグメントを前記前端部と前記後端部との間の望ましい位置で切断する切断手段と、
を有する装置。
【請求項２】
前記端部セグメントの切断された部分を前記タイヤ製造用環状表面から離れるように搬送する廃棄手段をさらに有する、請求項１に記載の装置。
【請求項３】
前記張り手段は、互いに対向する把持フィンガを含む、請求項１に記載の装置。
【請求項４】
前記張り手段は、
前記端部セグメントと係合して該端部セグメントを把持する、前記端部セグメントの前記前端部に近接した第一の手段と、
前記端部セグメントの前記後端部に近接した第二の手段であって、前記端部セグメントを前記第一の手段から離れるように軸線方向に引っ張って、前記第一の手段と前記第二の手段との間で前記端部セグメントを張力が与えられた状態にする第二の手段と、
を有する、請求項１に記載の装置。
【請求項５】
前記第二の手段は、端部セグメントに係合するワイパー部材を含み、前記ワイパー部材は前記端部セグメントの少なくとも一部に沿って往復して前記端部セグメントを軸線方向に揃える、請求項４に記載の装置。
【請求項６】
第一の手段は、前記端部セグメントと係合して該端部セグメントを把持する対向した把持フィンガを有する、請求項４に記載の装置。
【請求項７】
タイヤコードプライの端部セグメントをタイヤ製造用環状表面上で切断するコード切断装置であって、
前記タイヤコードプライの前記端部セグメントを該セグメントの前端部と後端部との間で把持し、前記前端部と前記後端部との間で張力を与えることを少なくとも補助するように構成されたクランプと、
少なくとも非切断位置と切断位置との間で移動可能であり、前記切断位置にあるときに前記タイヤコードプライを切断するために前記タイヤ製造用環状表面上の前記タイヤコードプライに近接するように構成された切断要素を含む切断装置と、
ワイパー部材であって、前記クランプと前記ワイパー部材との間で前記端部セグメントに張力が与えられるように、前記タイヤコードプライの前記後端部を保持するように構成され、前記端部セグメントの少なくとも一部に沿って往復できるように直線的に移動可能に取り付けられているワイパー部材と、
を有する装置。
【請求項８】
前記クランプは、前記タイヤコードプライの前記端部セグメントを把持するように構成された把持フィンガをさらに有する、請求項７に記載の装置。
【請求項９】
前記ワイパー部材は、ローラをさらに有する、請求項７または８に記載の装置。
【発明の詳細な説明】
【技術分野】
【０００１】
本発明は、概して、タイヤ用の環状カーカスプライの製造するための改良された装置に関し、特に、タイヤ製造用環状表面上でのタイヤコードプライの製造中にコード供給ラインを切断する切断機構に関する。
【背景技術】
【０００２】
歴史的には、空気タイヤは、ビード、トレッド、ベルト補強部およびカーカスを有している概ね環状の積層構造として組み立てられてきた。タイヤは、ゴム、繊維および鋼から作られている。採用されている製造技術のほとんどが、平坦な帯状の材料やシート状の材料から作られている多くのタイヤ構成要素の組み立てに関連していた。各構成要素は、製造ドラム上に配置され、構成要素の端部どうしが接触したり重なったりするように一定長さに切断されてスプライスが作られる。
【０００３】
後に環状に成形される平坦な構成要素からタイヤを製造するこの形態は、タイヤをほぼ均一な状態に製造する能力を制限している。その結果、改良された方法と装置が提案されており、この方法は、一連の層を環状表面つまりコアに貼り付ける。コードプライは、長さ方向に連続している１つまたは２つ以上のコードがあらかじめ貼り付けられているエラストマの層上の所定のコード経路内に配置されステッチされることによってコア上に形成される。この方法は、さらに、１つまたは２つ以上のコードをスプールから供給し、コードが供給されるに従ってコードを所定の経路内で案内するステップを含む。ゴムであらかじめ被覆されていたり、そのように被覆されていなかったりする各コードは、コードが、配置されステッチされた後、エラストマ層に接触して保持され、それからコード経路を次の円周方向の位置に割り出し、コードの方向を反対にすることによってループ状の端部を構成し、ループ状端部が構成されコード経路の方向が逆になった後で保持されているコードを解放することが好ましい。環状表面の割り出しによって、コードピッチを特定の直径において角度方向の別個の間隔で一様にすることができる。
【０００４】
そのようにしてコードプライを環状表面上で製造するコードアプリケータヘッドは参照によって本明細書に援用される特許文献１に開示されている。アプリケータヘッドは、コードラインをタイヤ製造用環状表面の近くの１対のローラの間に供給し、それに対して各ローラは、アプリケータヘッドが環状表面を横切って前後に移動するにつれて、コードラインに係合し配置する。このようにして、好ましいパターンのコードプライが環状表面上で製造される。コード貼り付け工程の適切な時点で、コードラインはアプリケータヘッド内で切断手段によって切断され、後のコードラインセグメントはコードプライの構成の最後の経路を完成させるようにアプリケータヘッドから引き出される。アプリケータヘッド内の代表的な切断機構は、同様に本明細書に参照によって援用される特許文献２に開示されている。
【特許文献１】米国特許出願第１１／２９２，３６３号明細書
【特許文献２】米国特許出願第１１／２９１，６３０号明細書
【発明の開示】
【発明が解決しようとする課題】
【０００５】
特許文献１のアプリケータヘッド内の特許文献２に開示されている切断機構は良好に動作するが、その使用から特定の問題が発生する。コードラインのアプリケータヘッド内での切断は、環状表面上で最終的なコード経路を完成するのに必要なラインの正確な長さが得られるように時間を設定できるのに対して、次のコードプライの製造のために環状表面上に切断されたコードラインの前端部を正確に配置する場合に問題が発生する。特許文献１は、コードラインの切断後の自由な端部は、アプリケータヘッドから強制的に引き出され、空気圧により環状表面上に配置されることもあると教えている。しかし、そのような操作においては、切断されたコードの自由な端部を制御して、所望の正確な位置において、端部セグメントの環状表面への配置を正確に開始することは困難である。環状表面上の切断されているコードの自由な端部の正確な配置は、たとえば、コードラインの自由端部セグメントがアプリケータヘッド内で空気圧排出シーケンス中に引っかかると、失敗することがある。切断された自由な端部の不適切なつまり決して正確ではない配置によって、後続のコードパターンが不正確な位置で始まり、欠陥のあるコードプライとなる。さらに、コード前端部の環状表面上での正確な配置の前述の困難さは、コードプライ製造の最初に発生するばかりでなく、コードプライ製造の中間の点でも発生する可能性がある。たとえば、コードラインが意図せずに切断され、プライ製造工程を再開するために自由なコード端部を環状表面上で再配置する必要がある。コードの供給が、コードプライの製造の途中で尽きて、スプールの交換が必要となることもある。新しいコードのラインをアプリケータヘッドを通して再ルーティングするには、コードプライの製造を再開するために、他の自由なコード端部を環状表面上に配置することが必要になるであろう。
【０００６】
そのため、プライコードアプリケータヘッドから送り出されるプライコードの前端部が環状のタイヤ製造用コア上の所望の開始位置に正確に配置されることを正確に保証する改良された方法と装置が必要である。改良された方法と装置は、複数のプライ層が環状表面上で製造されるときに、繰り返されるサイクルを通して、予測可能に、そして高い信頼性で動作しなければならない。さらに、改良された方法と装置は、プライ製造シーケンスの開始点でも、プライ製造中の任意の中間点でも、そのような要求が発生したときに、プライコードラインの前端部を環状コア表面上に正確に配置するように機能しなければならない。
【課題を解決するための手段】
【０００７】
本発明の一実施態様に対応して、コード切断装置は、タイヤ製造用環状コア表面から離れてタイヤコードプライの端部セグメントを切断するために設けられる。この装置は、端部セグメントを捕捉し制御する機構を含む。この装置は、端部セグメントの前端部と後端部との間で端部セグメントを張る手段と、タイヤ製造用コア上で、端部セグメントを意図された点、すなわち目標開始位置と対向する位置で切断するために、タイヤ製造用環状表面へ向かう方向とタイヤ製造用環状表面から離れる方向とに移動可能な切断機構とを備える。他の実施形態においては、端部セグメントの切断された部分をタイヤ製造用環状表面から離れるように搬送するセグメント廃棄機構が設けられる。この廃棄機構は、張り機構の必須構成要素ではない。
【０００８】
本発明の他の実施形態における張り機構は、端部セグメントの前端部に近接し、端部セグメントと係合して端部セグメントを効果的に把持する把持フィンガの形態のクランプと、端部セグメントをクランプから離れるように軸線方向に引っ張る、すなわち、端部セグメントの後端部を製造用環状コア表面に対して保持するために端部セグメントの後端部に近接するワイパー機構とを含んでもよく、クランプとワイパー部材との間で端部セグメントが張られた状態とする。ワイパー機構はローラとして構成されていなくともよい。本発明のさらに他の実施形態としては、張り機構と切断機構は、タイヤ製造用環状コア表面に近いそれぞれの第一の切断位置と、タイヤ製造用環状コア表面へのアクセスを妨げないようにそれぞれの第二の退避位置との間で移動可能である。したがって、タイヤ製造用環状コア表面での積層によるタイヤの製造が切断装置によって妨げられることがない。
【０００９】
他の実施形態では、本発明は、タイヤ製造用環状表面上でタイヤコードプライを切断する、概してクランプと切断装置とを含むコード切断装置を提供する。このクランプは、タイヤコードプライの端部セグメントを該セグメントの前端部と後端部との間で把持し、前端部と後端部との間で張力を与えることを少なくとも補助するように構成される。この切断装置は、少なくとも非切断位置と切断位置との間で移動可能な切断要素を含む。切断要素は、切断位置にあるときにタイヤコードプライを切断するためにタイヤ製造用環状表面上のタイヤコードプライに近接するように構成される。
定義
「アスペクト比」は、タイヤの断面幅に対する断面高さの比を意味する。
【００１０】
「軸線方向の」および「軸線方向に」は、タイヤの回転の軸線に平行なラインまたは方向を意味する。
【００１１】
「ビード」または「ビードコア」は、環状の引張部材を有しているタイヤの部分を一般的に意味し、半径方向内側のビードは、プライコードに被覆されて形作られて、タイヤをリムに保持するのに関わり、フリッパ、チッパ、エイペックス、またはフィラ、トーガード、およびチェーファーのような他の補強部材有することもあれば、有しないこともある。
【００１２】
「ベルト構造」または「補強ベルト」は、トレッドの下に存在し、ビードに固定されておらず、タイヤの赤道面に対して１７°から２７°の範囲の左および右のコード角度を有する、織物または不繊布の少なくとも２つの環状の層すなわち平行なコードのプライを意味する。
【００１３】
「周方向」は、軸線方向に垂直な環状トレッドの表面の周囲に沿って延びているラインまたは方向を意味する。
【００１４】
「カーカス」は、プライ上のベルト構造、トレッド、アンダートレッドを除くが、使用されている場合はビードを含む他のリム取り付け部分上のタイヤ構造を意味する。
【００１５】
「ケーシング」は、トレッドとアンダートレッドを除く、カーカス、ベルト構造、ビード、サイドウォールおよび他のすべてのタイヤ構成要素を意味する。
【００１６】
「チェーファー」は、コードプライをリムから保護し、リムの上方で屈曲を分散させるようにビードの外側の周囲に配置されている幅の狭い帯状の部材を意味する。
【００１７】
「コード」は、タイヤ内のプライを構成している補強用ストランドの１つを意味する。
【００１８】
「赤道面（ＥＰ）」は、タイヤの回転軸線に垂直でトレッドの中心を通る平面を意味する。
【００１９】
「フットプリント」は、速度が零でかつ通常の荷重および空気圧下において平坦な面と接触するタイヤトレッドの接触部分、すなわち接触領域を意味する。
【００２０】
「インナーライナ」は、チューブレスタイヤの内側表面を形成しており、タイヤ内で膨張流体を収容しているエラストマまたはその他の物質の１つまたは複数の層を意味する。
【００２１】
「標準空気圧」は、タイヤの使用条件についての然るべき標準化機構によって決められた特定の設計膨張圧および荷重を意味する。
【００２２】
「標準荷重」は、タイヤの使用条件についての然るべき標準化機構によって決められた特定の設計膨張圧および荷重を指す。
【００２３】
「配置」は、コードを所望のプライ経路に沿った配置位置に接着するように圧力を作用させることによってコードを表面上に配置することを意味する。
【００２４】
「プライ」は、ゴムに被覆された平行なコードの層を意味する。
【００２５】
「半径方向の（ラジアル）」および「半径方向に」は、タイヤの回転軸線に向けて、または回転軸線から離れるように、半径方向に延びている方向を意味する。
【００２６】
「ラジアルプライタイヤ」は、少なくとも１つのプライがビードからビードへ延びるコードを有しており、タイヤの赤道面に対して６５°から９０°の間のコード角度で配置された、ベルトが巻かれ、また周方向に拘束された空気タイヤを意味する。
【００２７】
「断面高さ」は、赤道面における公称リム直径からタイヤの外径までの半径方向距離を意味する。
【００２８】
「断面幅」は、標準圧で空気を入れられて２４時間経過後、荷重がかけられていない状態での、サイドウォールのラベル、装飾、または保護バンドによる隆起部分を除いた、タイヤの軸線に平行な、サイドウォールの外側間の最大直線距離を意味する。
【００２９】
「ショルダ」は、トレッドの縁部のすぐ下のサイドウォールの上部を意味する。
【００３０】
「サイドウォール」は、トレッドとビードとの間の部分を意味する。
【００３１】
「トレッド幅」は、軸線方向、すなわち、タイヤの回転軸線に平行な平面におけるトレッド面の弧の長さを意味する。
【００３２】
「ワインディング」は、張力が作用している状態でコードをライナ経路に沿って凸状表面上へ巻き付けることを意味する。
【発明を実施するための最良の形態】
【００３３】
本発明を、実例として、添付図面を参照して説明する。
【００３４】
最初に図１、２、３、４、および４Ａ〜Ｃを参照すると、対象としている外部切断装置１０は、特許文献１において特定されている種類のタイヤコードプライ装置と共に使用することが好ましいが、本発明はそれには限定されていない。当業者には明らかな外部切断装置１０の他の使用と用途とが理解されるであろうし、それらが本発明の範囲内に含まれることを意図している。
【００３５】
切断装置１０は、支持ベースプレート１２と、プレート１２に取り付けられているカラムスタンド１４と、ベースプレート１２の垂直方向上方に間隔を置いて取り付けられている停止部取り付けプレート１６と、プレート１６に取り付けられている停止部１８と、プレート１６の垂直方向上方に間隔を置いて取り付けられているロッドカプラブラケット２０とを有している自立組み立て品である。ガセット２２がブラケット２０の垂直方向上方に配置されており、カラムスタンド長方形アダプタプレート２４がそこから垂直方向に延びている。切断装置１０の上部には、上側停止部取り付けプレート２６がアダプタプレート２４に取り付けられている。垂直方向に移動可能な直動軸受取り付けプレート２８が、アダプタプレート２４に摺動可能に取り付けられている。上側取り付けプレート３０が取り付けプレート２８の上側端部に直角に取り付けられており、水平方向外向きに延びている。カッター機構取り付けプレート３２が支持プレート３３に沿って移動するように摺動可能に取り付けられており、支持プレート３３は同様に支持テーブル８６に沿って摺動する。
【００３６】
市販の種類の１対の長い摺動アダプタ３４、３６が取り付けプレート３２の下側に並べて取り付けられており、ワイパー機構を以降で説明する必要なストロークまで延ばすために直列に動作するように連結されている。両アダプタ３４、３６の前方にばねプランジャ支持ブロック３８が取り付けられている。カッター取り付けプレート３２と上部に取り付けられている小さいスライダ取り付けプレート４２との間で複数のスペーサ４０が延びている。グリッパ機構取り付けプレート４４がカッター取り付けプレート３２の前方端部に取り付けられている。ワイパー支持ブロック４６が摺動アダプタ３６に接続されており、伸縮するように共に移動する。カンチレバーアーム４７が支持ブロック４６に結合されており、外向きに突き出している。ワイパーブレード４８がカンチレバーアーム４７の遠方端部に軸受クランプ５０と横断軸５２とによって回転自在に取り付けられている。好ましい形態ではローラ部材であるワイパーブレード４８は、その代わりに、以下で説明する意図した目的を達成するように必要に応じて構成されていてもよい。
【００３７】
切断装置１０の前方端部には、１対の平行でＬ字形状のグリッパアーム５４、５６を有しているグリッパ組み立て品９２が配置されている。両グリッパアーム５４、５６は、両グリッパアーム５４、５６を互いに向けて締め付け方向まで、また、互いが離れるように締め付け解除された分離方向に移動させる組み立て品９２内の適切な駆動機構（不図示）に接続されている。両グリッパアーム５４、５６の下方には、１対の対向しているカッターブレード５８、６０が配置されている。両カッターブレード５８、６０は、両カッターブレード５８、６０を切断相互方向に閉じ、両カッターブレード５８、６０を末広がりの方向に開く駆動機構に接続されている。好ましい実施形態では、ブレード５８が切断するためにブレード６０に載っているのに対してブレード６０は固定されたままであるが、両ブレード５８、６０間の他の代替の切断動作や、他のブレードまたは切断装置の使用を必要に応じて利用可能である。
【００３８】
切断装置１０の上部に取り付けられている切断ツーリングは、本明細書では全体を参照番号６２で参照している。ツーリング６２は、水平軸線に沿って、切断手順の実施に必要な延びている位置と切断と切断との間の後退している位置との間を移動する。図２に最もよく示しているように、支持ブロック６４がベースプレート１２上に配置されており、平行な両支持軸６８が上向きにブロック６４から上下の支持ブラケット６６、６７を貫通してそれぞれ突き出している。空気シリンダ７０が垂直方向に取り付けられており、ロッドカプラブラケット２０に継ぎ手７２によって結合されている移動可能ロッド７１を有している。シリンダ７０は、上側カッター組み立て品を、伸長している「上側」の位置と後退している「下側」の位置との間で、両支持軸６８に沿って駆動する。アングルプレート７３が取り付けプレート３０とガセット２２との間の接続を補強している。ストッパナット７６がアダプタプレート２４の上部中間部分に取り付けられている。上側カッター組み立て品のシリンダ７０の作動から上向きの移動は、上側カッター組み立て品がストッパナット７６に接触することで終了する。ショックアブソーバ７８が上側カッター組み立て品のストッパナット７６への終端での接触によるショックを最小にするようにストッパナット７６の上方に固定されている。
【００３９】
直動軸受取り付けプレート２８(図２を参照)が、対向している両側のランナブロック８２に嵌め合わされており、各ランナブロック８２は、対応して配置されている相補形状のガイドレール８４を受け入れるように構成されている鳩尾型ソケットを有している。平行な両ガイドレール８４は、アダプタプレート２４の対向している両側に沿って垂直方向に延びており、上側カッター組み立て品は、延びている"上側"位置と後退している"下側"位置との間で両レール８４上に載っている。図２において全体が番号８６によって参照される空気摺動テーブル組み立て品が上側取り付けプレート３０に取り付けられている。上側カッター組み立て品６２は、テーブル組み立て品８６と共に移動するように取り付けられている。上側カッター組み立て品６２は、テーブル組み立て品８６の前方端部に配置されており、カッター部分組み立て品８８、ワイパー部分組み立て品９０、および平行グリッパアーム部分組み立て品９２を有している。両切断ブレード５８、６０は図４Ａと４Ｂからわかるように、上側切断装置６２の前方端部に両ボルト９４、９６によって固定されている。従来の適切な駆動機構（不図示）が、上にあるブレード５８を対向しているブレード６０上で切断ストローク内でピボット運動させるように機能する。
【００４０】
概ね、ワイパー部分組み立て品９０は下部に、カッター部分組み立て品８８は中間部分に、グリッパアーム部分組み立て品９２は上部に取り付けられている。プレート３３はＹ軸に沿ってレール１１２の上に載って延びている。停止部分１１４は、プレート３３が後退ストロークの端部に到達したときにプレート３３と係合するように配置されている。したがって、切断装置１０は、説明するように、部分組み立て品８８、９０、および９２の順次動作のために、上側カッター組み立て品６２を適切な位置に移動させるように、Ｙ軸に沿って延びたり後退したりし、また、Ｘ軸に沿って延びたり後退する。
【００４１】
図１〜４から明らかになるように、テーブル組み立て品８６の位置をＸ軸とＹ軸とに沿って電子的に制御する目的で、検知のために適切な複数のセンサが配置されている。そのため、上側切断装置６２の正確で制御された配置が促進される。同様に、部分組み立て品８８、９０、および９２の動作が電子的に制御され、部分組み立て品９２内の平行な両アーム５４、５６、部分組み立て品８８内の切断ブレード５８、６０、および部分組み立て品９０内のワイパー機構４８の制御された動作が促進されるように適切な市販の複数のセンサが利用されることが理解されるであろう。
【００４２】
グリッパ部分組み立て品９２の詳細を図４と４Ａ〜Ｃに示している。両グリッパアーム５４、５６は、対向している前向きつまり端部表面１１６、１１８を有している。両表面１１６、１１８は両グリッパアーム５４、５６と共に、タイヤコードの一部分を素早く締め付けて保持する適切な間隔の把持関係となるように方向１２０に互いに向けて移動する。両表面１１６、１１８は、各グリッパアーム５４、５６と共に、同様に、把持関係から後退するように、機械制御の下で離れるように移動する。さらに理解されるように、カンチレバーアーム４７に保持されているワイパー部材４８は、方向１２２に延びたり後退するように移動する。両摺動アダプタ３４、３６はワイパー部材４８が所望のストローク長さとなるように連動する。プレート３２は、方向矢印１２４によって示されているＸ軸に沿った運動において上側切断装置６２を搬送する。さらに、プレート３２と上側切断装置６２とは、矢印１２６によって示されている経路に沿ってプレート３３上で搬送される。図４Ｂはピボット経路１２８に沿った切断ストローク中の両切断ブレード５８、６０のピボット運動を示している。
【００４３】
上側切断装置６２は、図４Ｃに示しているように、コードプライのコード前端部セグメント１３０を切断する方向に再配置可能である。コード前端部セグメント１３０はセグメント前端部１３２とセグメント後端部１３４とを有している。コード前端部セグメント１３０は、これから説明するように、タイヤ製造用コアで製造されるタイヤコードプライつまりプライ部分のラインの前の部分を表している。
【００４４】
図５、５Ａ、Ｂ、および６を参照すると、対象としている切断装置１０は、コード製造装置１３６と共に好適に使用することを意図しているが、他の装置や当業者には明らかな装置の変形例を本発明の切断装置１０と共に使用することができることは明らかである。コード製造装置１３６は、アーム端部コードアプリケータヘッド１４０が端部に取り付けられている長いツーリングアーム１３８を有している。環状つまり環状製造コア１４２は、アプリケータヘッド１４０が届く範囲に配置されており、アプリケータヘッド１４０は、コア１４２が方向１４６に回転するにつれて、プライコードのパターン１４４をコア１４２上の塗布済みエラストマの層に順次貼り付ける。このようにしてアプリケータヘッド１４０によって製造されたコードプライは、ループ部分によって隣接している経路に経路の端部がつながっている１４４Ａ、Ｂのような複数のコード経路からなる。コード１４８の供給は、ツーリングアーム１３８を通してアプリケータヘッド１４０まで経路が設定されており、所望のパターン１４４を構成するようにアプリケータヘッド１４０から供給される。図示の形式のツーリングは、参照によって本明細書に援用される特許文献１に開示されている。
【００４５】
所望のパターン１４４を製造するために、コード前端部セグメント１３０の自由な前端部１３２をコア１４２上の目標開始位置に正確に配置しなければならない。しかし、前述の理由によって、コード前端部セグメント１３０の自由な前端部１３２はアプリケータヘッド１４０から供給されるため、コード前端部セグメント１３０の自由な前端部１３２を制御するのは困難である。そのため、コア１４２上の正確な所望の点でコードプライを開始するために、コードライン１４８の所望のつまり意図した開始位置に重なる、つまり開始位置を超えて延びているように、コード前端部セグメント１３０がアプリケータヘッド１４０からコア１４２へ供給される。コード前端部セグメント１３０は、コードプライが完全に製造されるまでコア１４２上の開始位置上に留まる。コードプライの製造が完了すると、自由なコード前端部セグメント１３０を切断装置１０を使用して意図した開始位置で正確に切断するように切断ステップが実行される。コード前端部セグメント１３０は、この点で切断装置１０によって切断され、コードプライの開始端部が正確にコア１４２上の意図した開始位置となる。
【００４６】
切断機構１０の動作を順に図５、５Ａ、５Ｂ、および６に示している。コード製造はコア１４２が図５に示しているように方向１４６に回転しているときに行われる。コード前端部セグメント１３０は、コード製造を通して、コア１４２上のプライの始点に取り付けられたままである。コードプライ製造の完了時に、図５Ａからわかるように、アプリケータヘッド１４０はコア１４２から離れ、コア１４２はコード前端部セグメント１３０が切断装置１０に対向するまで回転する。コード前端部セグメント１３０は、切断装置１０に対して、重力の影響下で、切断装置１０に対向して軸線方向にずれている、つまり上に位置していてもよいことが理解されるであろう。以降で説明するように、切断装置１０は、コード前端部セグメント１３０の軸線方向のずれを切断前に補償する。
【００４７】
図５Ｂは、空気シリンダロッド７１による切断装置１０の方向１５４への垂直方向の伸長を示している。それによって、上側切断装置組み立て品６２はコア１４２上のプライ層と同じ高さまで上昇する。それから、上側切断装置組み立て品６２は図６に示しているように上側切断装置組み立て品６２がコードプライ、より具体的には、コードプライのコード前端部セグメント１３０の動作上の近傍に位置するまで水平方向に延びる。上側切断装置組み立て品６２のコードプライに向けての水平方向の必要な伸長は、図７に示しているように、装置取り付けプレート３２、３３の方向１５８への段階的な延びによってもたらされる。
【００４８】
図７、７Ａ〜７Ｄは、切断装置１０の順次動作を詳細に示している。上側切断装置組み立て品６２は、内向きの方向１７４に完成したコードプライのコード前端部セグメント１３０と対向している位置まで延びる。前述のように、コード前端部セグメント１３０は、製造コア１４２上のコードプライ構造１４４の始点と重なっている。コード前端部セグメント１３０は、自由な前端部１３２と後端部１３４とを有している。ワイパーブレード４８（つまりローラ部材）は、両摺動アダプタ３４、３６の動作によって図７に示しているように、コード前端部セグメント１３０の後端部１３４に接触するのに十分なストロークほど延びている。その後、図７Ａに示しているように、ワイパーブレード４８が前端部１３２に向けてさらに延びて、コード前端部セグメント１３０を軸線方向に揃え、まっすぐにする。まっすぐにするための軸線方向の揃えを完了すると、平行なグリッパ組み立て品９２のグリッパフィンガ５４、５６が内向きに移動して、把持表面１１６、１１８がコード前端部セグメント１３０の前端部１３２を締め付ける。
【００４９】
それからワイパー部材４８は図７Ｂに示しているように方向１６２に後退する。ワイパー部材４８とコード前端部セグメント１３０の後端部１３４との間の接触が維持されており、後端部１３４をコア１４２に対してしっかりと保持している。したがって、コード前端部セグメント１３０は、対向している両端部１３２、１３４の間で、それぞれ締め付けられている両フィンガ５４、５６とローラ部材４８とによって張られた状態で保持されている。両切断フィンガ５８、６０は、図７Ｃに示しているようにコード前端部セグメント１３０と切断関係になるまで方向１７４に延びる。両切断フィンガ５８、６０が作動してコード前端部セグメント１３０を点Ｐで切断する。点Ｐは、コードプライ層１４４の正確な所望のつまり意図している開始位置を表している。点Ｐのコードプライ層１４４の切断された端部の正確な位置合わせは、コードプライがタイヤ製造コア１４２上の最適な点で始まっていることを保証している。
【００５０】
図７Ｃからわかるように、ワイパーブレード４８は、ピン１６７によって支持ブロック４６にピボット運動をするように取り付けられているカンチレバーアーム４７に固定されている。ピン１６７は、ピン１６７に固定されているリコイルばね１６８を有している。ばねプランジャ機構１６４が両摺動アダプタ組み立て品３４、３６の前端部に取り付けられている。ばねプランジャ機構１６４は、アーム４７に係合し押すように配置されているバイアスプランジャ１６６を有している。プランジャ１６６はアーム４７をワイピング動作中に外向きに押圧し、前述のようにワイパー部材４８をコードセグメント後端部１３４に押し付けている。切断動作後、プランジャ１６６からの押圧力が取り除かれ、ワイパーアーム４７が図７Ｃの方向矢印１７０によって示されているように、ピボット軸線ばね部材１６８の影響下でコア１４２からピボット運動をして離れることができるようにする。したがって、ワイパー部材４８とプライコード１４４の後端部１３４との間の係合が解除され、それから、ワイパー部材４８は両摺動アダプタ３４、３６によって方向１７２にさらに後退する。
【００５１】
図７Ｄでは、ワイパー部材４８が完全に後退しており、両切断機構５８、６０が後退位置にあり、両締め付けフィンガ５４、５６がコードプライ１４４の切断されている前端部１３２を保持している上側カッター組み立て品を示している。それから上側カッター組み立て品６２は方向１７６に後退し、環状製造コア１４２から離れる。したがって、上側カッター組み立て品６２は、必要に応じて製造コア１４２へのそれに続く複数の層の組み付けに邪魔にならない、製造コア１４２から離れる位置に移動する。切断装置１０全体も、切断装置１０を以降のタイヤ製造作業の邪魔にならない位置にさらに配置するように、図１に示している後退位置に下降してもよい。
【００５２】
両方の締め付けフィンガ、つまり把持フィンガ５４、５６は、上側切断装置６２が後退するときに、切断されているコードセグメント前端部１３２に対する締め付け制御を維持する。上側切断装置６２が後退した後で、コードセグメント前端部１３２を製造コア１４２から排出するように把持フィンガ５４、５６が開く。それによって、コードセグメント前端部１３２が製造コア１４２や製造コア１４２上で製造された複数のタイヤ層に不用意に付着するおそれがなくなる。図７Ｃに示している点Ｐは、コードプライ１４８の切断された端部を示しており、コードプライ層１４４の製造に望ましい正確な開始位置に位置している。プライ層１４４の製造の開始時ではなく完了時にコードプライ１４８の切断された端部を開始位置Ｐに一致させることによって、環状製造コア上の正確な位置へのコードライン端部の配置を実現することができる。
【００５３】
開始位置Ｐ（図７Ｃ）は、最も一般にはコードプライ１４８の製造が開始される点であるが、コードプライ製造手順においてコードプライ１４８の途中で中断が発生した場合、切断装置１０を同様に使用することができる。そのような中断は、コードラインの切断やコードラインが尽きたコードライン供給スプールの交換が原因の場合がある。そのような場合、プライ製造の中間点でコードプライ１４８の製造を再開する必要がある。コードライン端部は、中間の開始位置上に固定されているコードライン端部セグメントを作ることによる前述の手順によって開始位置に配置することができる。それからコードプライ１４８の製造を完成するまで再開することができる。製造か完了すると、切断装置１０を延ばして、前述のように所望の正確な開始位置でコードライン端部セグメントを調整するために使用することができる。
【００５４】
前述のように、切断装置１０は、プライコードアプリケータヘッド１４０からのプライコードラインの前端部がタイヤ製造コア１４２上の意図した開始位置に正確に配置されることを保証する実例としての装置を表していることが理解されるであろう。切断装置１０は、複数のカーカスプライ層が環状表面上で製造されるときに、繰り返されるサイクルを通して、予測可能に、そして高い信頼性で動作する。切断装置１０は、プライコードラインの前端部を、プライ製造の開始の位置であっても、プライ製造中に必要となった任意の中間点であっても、環状コア１４２表面上に正確に配置するように機能する。
【００５５】
さらに、切断装置１０は、プライコードラインの自由な端部がタイヤ製造コア上の開始位置Ｐに配置され、プライコード端部セグメントが前端部と後端部に係合する装置構成によって捕捉され制御され、後端部が軸線方向に揃えられて前端部と後端部との間が張られた状態とされ、後端部が意図される開始位置Ｐにおいて切断される方法に従って動作する。この方法は、装置をタイヤ製造コアから離れるように戻すステップと、タイヤ製造コアを遮らず、タイヤ製造作業のためにアクセス可能な状態とするステップとをさらに含む。この方法は、コードライン端部セグメントの切断された部分の制御を維持するステップと、切断された部分をタイヤ製造コアから離れる方向へ移動させて廃棄するステップとをさらに含んでもよい。
【００５６】
本発明の変形例が本明細書に示している説明の観点から可能である。対象とする発明を説明する目的で、特定の代表的な実施形態と詳細を示しているが、当業者には対象とする発明の範囲から逸脱することなく、実施形態において様々な変更と修正が可能であることが明らかになるであろう。そのため、添付の請求項で定めている本発明の意図した全範囲内で、説明している特定の実施形態の変更が可能なことが当然理解される。
【図面の簡単な説明】
【００５７】
【図１】切断装置の前面斜視図である。
【図２】切断装置の背面斜視図である。
【図３】切断装置の上側部分の拡大背面斜視図である。
【図４】切断装置の上側部分の拡大前面斜視図である。
【図４Ａ】仮想線の両締め付けフィンガと、図示のために離れた相互方向にある両切断ブレードと共に示している切断装置の上側部分の拡大前面斜視図である。
【図４Ｂ】両切断ブレードが閉じた相互方向にある図４Ａの切断装置の上側部分の拡大前面斜視図である。
【図４Ｃ】両締め付けフィンガの、プライコードセグメントに締め付けるように係合する内向きの動きを示している図４の切断装置の上側部分の拡大前面斜視図である。
【図５】環状製造表面上でのプライコード層の製造と、後退位置にある切断装置とを示しているタイヤ製造ステーションの前部立面図である。
【図５Ａ】プライ層製造の終了時のプライ製造ツーリングの後退を示している図５に続く前部立面図である。
【図５Ｂ】プライコード切断手順の前に環状製造表面に隣接している位置への切断装置の移動を示している図５Ａに続く前部立面図である。
【図６】切断装置の切断位置への横方向の運動を示している図５Ｂに続く側部立面図である。
【図７】プライコードセグメントの切断装置ワイパー機構による軸線方向の揃えを詳細に示している図６の一部分の拡大図である。
【図７Ａ】端部プライコードセグメントの前端部を把持している両グリッパフィンガとプライコードセグメントに沿って軸線方向に前進しているワイパー機構とを示している図７に続く模式図である。
【図７Ｂ】プライコードセグメントを張られた状態にするようにワイパー機構のプライコードセグメントに沿った後退運動を示している図７Ａに続く模式図である。
【図７Ｃ】プライコードセグメントの切断機構による切断と、その後のワイパー機構の設定された方向への後退とを示している図７Ｂに続く模式図である。
【図７Ｄ】切断装置の切断手順の終了時に環状製造表面から離れる運動を示している図７Ｃに続く模式図である。
【符号の説明】
【００５８】
１０  切断装置
３４、３６  摺動アダプタ
３８  ばねプランジャ支持ブロック
４８  ワイパーブレード
５４、５６  グリッパアーム
５８、６０  カッターブレード
６２  切断ツーリング、上側切断装置組み立て品
８８  カッター部分組み立て品
９０  ワイパー部分組み立て品
９２  グリッパ部分組み立て品
１３０  コード前端部セグメント
１３２  前端部
１３４  後端部
１３６  タイヤ製造装置
１４２  タイヤ製造用環状表面、製造コア
Ｐ  切断点
【図１】
0005265251.tif 000002
【図２】
0005265251.tif 000003
【図３】
0005265251.tif 000004
【図４】
0005265251.tif 000005
【図４Ａ】
0005265251.tif 000006
【図４Ｂ】
0005265251.tif 000007
【図４Ｃ】
0005265251.tif 000008
【図５】
0005265251.tif 000009
【図５Ａ】
0005265251.tif 000010
【図５Ｂ】
0005265251.tif 000011
【図６】
0005265251.tif 000012
【図７】
0005265251.tif 000013
【図７Ａ】
0005265251.tif 000014
【図７Ｂ】
0005265251.tif 000015
【図７Ｃ】
0005265251.tif 000016
【図７Ｄ】
0005265251.tif 000017